(57)【要約】【課題】測定対象の気体に微細ミストが含まれていても、高い精度で気体の乾球温度を測定することができる乾湿計を提供すること。【解決手段】乾球温度を測定する測定部１と、収容空間内に前記測定部１を収容する筒状の測定容器３と、一端が外気に開放され、他端が前記収容空間内において当該収容空間の中心軸から偏心する方向に向けて配設された吸込管５と、を備えた乾湿計。【選択図】図３
2018017669.tif 000002
【特許請求の範囲】
【請求項１】
乾球温度を測定する測定部と、
収容空間内に前記測定部を収容する筒状の測定容器と、
一端が外気に開放され、他端が前記収容空間内において当該収容空間の中心軸から偏心する方向に向けて配設された吸込管と、
を備えた乾湿計。
【請求項２】
前記測定部を収容する筒状の内管を更に備え、
前記内管は、前記収容空間内に配設され、前記収容空間内に吸い込んだ外気を吸引する吸引口と、当該吸引口から吸引された外気を吐出する吐出口とを有し、
前記吸込管の他端は、前記収容空間の中心軸に沿った方向において前記内管の吸引口から離れた位置に設けられる
請求項１に記載の乾湿計。
【請求項３】
外気を排出する排出口を有し、前記測定容器を収容する筒状の外側容器を更に備え、
前記外側容器は、前記内管の吐出口と連通し、当該吐出口から吐出された外気を前記測定容器の外面と当該外側容器の内面との間に導き、前記排出口から排出する
請求項２に記載の乾湿計。
【請求項４】
前記外側容器の排出口に接続された吸引ポンプを更に備える請求項３に記載の乾湿計。
【請求項５】
前記測定容器の側面を貫通するように設けられたスリットと、
一端が前記スリットと接続するように、前記測定容器の外面側に配設された排水管と、
前記排水管の他端が接続された排水タンクと、を更に備えた請求項１に記載の乾湿計。
【請求項６】
前記排水タンクに接続された第２の吸引ポンプを更に備える請求項５に記載の乾湿計。
【請求項７】
前記排水管内に配設され、湿球温度を測定する第２の測定部と、
前記第２の測定部を被覆する吸水材と、
一端が前記吸水材に接続され、他端が前記排水タンクのタンク内に配設された供給管と、
を更に備えた請求項５に記載の乾湿計。
【発明の詳細な説明】
【技術分野】
【０００１】
本発明は、乾湿計に関する。
【背景技術】
【０００２】
一般的に、気象の観測や空間の温度および湿度を測定する装置として、測定容器内部に設けられた湿球用温度計および乾球用温度計に測定対象の気体を通風させ、温度を測定する通風乾湿計が知られている（例えば、特許文献１を参照）。
【０００３】
図１は、特許文献１に記載された環境の温度および湿度を測定する乾湿計である。
【０００４】
図１に示すように、特許文献１の乾湿計は、ケーシング９１と、ケーシング９１に設けられた空気流入口および空気流出口を有する通風路９２と、通風路９２の内部に設けられた測定環境の乾球温度および湿球温度を測定する測定部９３と、測定部９３よりも下流に設けられ、通風路９２に所定の風量の風を発生させる送風ファン９４と、送風ファン９４の下流に設けられ、測定部９３の電気信号を処理する電子機器９５とからなる。
【先行技術文献】
【特許文献】
【０００５】
【特許文献１】特開２００４−３０１８０５号公報
【発明の概要】
【発明が解決しようとする課題】
【０００６】
特許文献１に記載の乾湿計においては、送風ファン９４の送風によってケーシング９１に設けられた通風路９２に測定対象の気体を流入させ、測定部９３に測定対象の気体を当てることで、測定部９３で乾球温度および湿球温度を検出する。尚、測定部９３は、検出した乾球温度および湿球温度を電子機器９５に電気信号として送信し、これによって乾球温度や湿球温度、あるいは湿度が算出される。
【０００７】
しかしながら、特許文献１に記載の乾湿計では、滝壺付近や早朝の森林など、測定対象の外気に微細なミストが含まれている環境の場合、高精度な測定が困難となる。
【０００８】
具体的には、送風ファン９４によってケーシング９１の通風路９２内部に導かれた微細なミストを含む測定対象の気体は、測定部９３を通り通風路９２の出口より排出される。この時、測定部９３には微細ミストが付着するが、付着したミストは蒸散するため、気化熱冷却により測定部９３が測定する温度を低下させる問題が生じる。このように、従来技術に係る乾湿計では、精度よく測定対象の乾球温度および湿度を測定することができないという課題があった。
【０００９】
本発明は、上述した問題点に鑑みてなされたものであり、測定対象の気体に微細ミストが含まれていても、高い精度で気体の乾球温度を測定することができる乾湿計を提供することを目的とする。
【課題を解決するための手段】
【００１０】
前記従来の課題を解決する本発明は、乾球温度を測定する測定部と、収容空間内に前記測定部を収容する筒状の測定容器と、一端が外気に開放され、他端が前記収容空間内において当該収容空間の中心軸から偏心する方向に向けて配設された吸込管と、を備えた乾湿計である。
【発明の効果】
【００１１】
本発明に係る乾湿計によれば、気中の微細ミストの影響を受けることなく、気体の乾球温度を高い精度で測定することができる。
【図面の簡単な説明】
【００１２】
【図１】従来技術に係る乾湿計の概略構成を示す模式図
【図２】本発明の第１の実施形態に係る乾湿計の概略構成を示す模式図
【図３】本発明の第１の実施形態に係る乾湿計の概略構成を示す断面図
【図４】本発明の第２の実施形態に係る乾湿計の概略構成を示す模式図
【図５】本発明の第２の実施形態に係る乾湿計の概略構成を示す断面図
【図６】本発明の第２の実施形態に係るスリットの形状の一例を示す側面図
【図７】本発明の第２の実施形態に係るスリットの形状の一例を示す平面図
【図８】本発明の第３の実施形態に係る乾湿計の概略構成を示す模式図
【図９】本発明の第３の実施形態に係る乾湿計の概略構成を示す断面図
【発明を実施するための形態】
【００１３】
以下、本発明の実施の形態について、図面を参照して詳細に説明する。
【００１４】
（第１の実施形態）
図２は、本発明の第１の実施形態における乾湿計の概略構成を示す模式図である。また、図３は、本発明の第１の実施形態における乾湿計の概略構成の断面図である。図３中に示す矢印は、測定対象の空間から吸い込んだ外気の流れを表す。
【００１５】
本実施形態に係る乾湿計は、例えば、通風乾湿計である。この乾湿計は、測定部１と、測定部１を収容する略円筒形状の内管２と、内管２の上面と外面を覆う略円筒形状の測定容器３と、測定容器３を収容し、上面に排出口４ａを持つ略円筒形状の外側容器４と、測定容器３の外面に測定容器３の中心軸に対して偏心して挿入され、外側容器４を貫通した吸込管５と、外側容器４の排出口４ａに接続されたブロアモータ６と、を備えている。ここで、略円筒形上の内管２、測定容器３、外側容器４の中心軸は、略一致している。
【００１６】
以下、各構成の詳細について説明する。
【００１７】
測定部１は、乾球温度を測定するセンサである。測定部１は、内管２によって囲繞され、当該内管２の上面に形成された吸引口２ａを介して流入した外気の乾球温度を測定する。測定部１としては、例えば、熱電対や水銀温度計等が用いられる。
【００１８】
測定容器３は、内管２および測定部１を収容する略円筒形状の容器である。測定容器３は、内面によって、鉛直方向に延びる略円柱状の収容空間を形成する。尚、測定容器３の収容空間は、略密閉状態となっている。
【００１９】
測定容器３の収容空間内には、外側面から吸込管５が挿入され、当該吸込管５を介して外気が導入される。また、内管２の上端には、吸引口２ａが設けられ、吸込管５を介して導入された外気は、ブロアモータ６の吸引力によって当該吸引口２ａから吸引される。換言すると、内管２の内部は、ブロアモータ６の吸引力によって、外気に対して負圧にされた状態となっている。ここで、吸引口２ａは、吸込管５が挿入された位置よりも上部に位置するように配設される。
【００２０】
吸込管５は、測定容器３の外側面から挿入され、測定対象の空間の外気を測定容器３の収容空間に導入する。吸込管５は、一端が外側容器４の外側に配設され、他端が測定容器３の収容空間内の中心軸から偏心する位置に配設される。
【００２１】
吸込管５の他端は、より詳細には、測定容器３の内面が形成する略円柱状の収容空間において、測定容器３の中心軸（当該収容空間の長手方向に垂直な断面である円の中心）から偏心する方向に向けて配設されている。これによって、吸込管５の他端から流出する外気は、測定容器３の内面に沿って、螺旋状に通流することになる。
【００２２】
内管２は、測定部１を収容し、測定部１にミストが分離した外気を導入する筒状部材である。内管２は、中心軸の方向が鉛直方向となるように、測定容器３の収容空間の中心軸上に配設されている。
【００２３】
内管２の上方側の一端は、吸引口２ａを構成し、測定容器３の収容空間内に配設され、測定容器３の収容空間内から外気を吸引する。内管２の下方側の他端は、吐出口２ｂを構成し、吸引口２ａから吸引された外気を吐出する。吐出口２ｂには、外側容器４が測定容器３を収容する収容空間の下方側に配設され、ブロアモータ６の吸引力によって、吸引口２ａから吸引した外気を外側容器４の排出口４ａに向けて流通させる。このようにして、内管２の内部に配設された測定部１に外気が導入される。
【００２４】
外側容器４は、測定容器３の外面を囲繞し、測定容器３の温度状態を安定させるための外装容器である。ここでは、外側容器４は、測定容器３がミストを含んだ外気に接しないように、当該測定容器３の外面全面を囲繞し、当該測定容器３を収容空間内に収容する。また、外側容器４は、断熱性を向上させるため、当該外側容器４の内面と測定容器３の外面とが接触しないように、測定容器３を収容している。
【００２５】
これにより、測定容器３の内部は、測定容器３自体と、外側容器４内にある気体とによって断熱されており、かつ、外側容器４内にある気体は連続的に排出されるので、日射量変化などによる外部容器４外からの熱量変化に影響をうけにくい構成となっている。
【００２６】
外側容器４は、上部にブロアモータ６に接続された排出口４ａを有し、当該ブロアモータ６の吸引力を利用して、測定容器３の収容空間内の外気を排出する。
【００２７】
ブロアモータ６は、外側容器４の排出口４ａに接続されて、測定容器３の収容空間内に外気を吸引するとともに、測定容器３の収容空間内の外気を外側容器４から排出させる吸引ポンプである。
【００２８】
尚、湿球温度を測定するセンサは、当該乾湿計内に内蔵してもよいし（例えば、図８、図９）、当該乾湿計の外部に設けてもよい。また、これらの測定結果から、相対湿度等の演算処理を行ってもよいのは勿論である。
【００２９】
以上のように構成された乾湿計について、以下、その動作、作用を説明する。まず、本実施形態に係る乾湿計のミスト分離作用について説明する。
【００３０】
測定容器３の収容空間内は、ブロアモータ６によって大気に対して負圧の状態とされている。そのため、当該収容空間内には、測定対象の空間から吸込管５を介して、外気が流入する状態となっている（以下、流入した外気を「吸込気体」と称する）。
【００３１】
ここで、吸込管５は、筒状の測定容器３の収容空間の中心軸から偏心して配設されている。従って、吸込気体は、測定容器３の収容空間内を螺旋状に上昇して、内管２の吸引口２ａに流入する。この際、流入したミストは、遠心力によって、測定容器３の内面に衝突して水滴となり気体から分離される。つまり、吸込気体は、ミストが分離された気体となって内管２の吸引口２ａに流入する。尚、気体から分離された水滴は、測定容器３の底面に落下することになる。
【００３２】
一方、内管２を通った気体は、測定部１を通過した後、内管２の下部から排気され、外側容器４の内面と測定容器３の外面から形成される流路を通り、外側容器４の上部から排気される。
【００３３】
このように、吸込気体からミストを分離させることによって、測定部１は、外気の乾球温度を正確に測定することができる。
【００３４】
次に、本実施形態に係る乾湿計の温度安定化作用について説明する。
【００３５】
吸込気体は、測定容器３や内管２を構成する部材と熱交換を行う。例えば、吸込気体は、内管２内にある気体と内管２側面を通じ、また、外側容器４内にある気体と測定容器３側面を通じ熱交換を行う。そのため、測定容器３、または、内管２の温度と、吸込気体の温度との間で温度差があるときには、測定容器３、または、内管２が吸込気体と同じ温度になるまで、測定部１は、測定対象の気体の温度とは異なる温度を測定することになる。そして、測定容器３と内管２の温度が、吸込気体の温度に対して差がある場合でも、吸引口２ａから気体が連続的に送り込まれることで、測定容器３と内管２の温度は吸入気体の温度に馴化する。換言すると、測定容器３と内管２の温度が吸込気体の温度に略等しくなるまで、測定部１は、吸込気体の温度を正確に測定することができない。
【００３６】
この点、本実施形態に係る乾湿計は、内管２と測定容器３との間の空間に吸込気体を導入し、その後、内管２の内部に吸込気体を導入することにより、内管２、および、測定容器３の温度を吸込気体の温度に早く近づけることができる。
【００３７】
また、この乾湿計は、外側容器４で測定容器３の外面を囲繞することによって、微細ミストを含んだ外気に測定容器３が接触することを防止する構成となっている。これによって、微細ミストの気化熱冷却に起因して、測定容器３の温度状態が不安定になることを防止することができる。
【００３８】
加えて、外側容器４の内面と測定容器３の外面の間は、ブロアモータ６の吸引によって負圧の状態が維持されるため、当該外側容器４の内面と測定容器３の外面の間は断熱状態に近い状態となる。そのため、外側容器４の温度変化の影響が測定容器３に及ぶことを抑制することができる。
【００３９】
このように、本実施形態に係る乾湿計では、内管２、および、測定容器３の温度状態の早期安定化を図ることができる。その結果、測定部１は、外気の乾球温度を正確に測定することが可能となる。
【００４０】
本実施形態に係る乾湿計の各部は、より望ましくは、以下のような構成とする。
【００４１】
測定容器３は、アルミや銅などの比熱が小さく、熱伝導性の高い材料を用いるとともに、できるだけ壁面の厚みを薄くするのが望ましい。また、測定容器３における上下面の部材と側面の部材との接合は、ねじ等の部品を用いずに溶接し、測定容器３の質量、すなわち測定容器３の熱容量が少なくなるように製作することが望ましい。
【００４２】
これによって、測定容器３の温度は、吸込気体の温度に早く近づく。その結果、測定部１が測定する温度が安定するまでの時間が短縮され、環境変動の激しい屋外における測定や、急激な温度差を生じる実験にも使用することができる。
【００４３】
また、測定容器３の内面については、測定容器３の長手方向に垂直な断面の形状を略円形状とするのが望ましい。これによって、吸込管５から流入した微細ミストを含む気体は、測定容器３の内面に沿って螺旋を描き、測定容器３の上部まで流れるため、遠心力による微細ミストの分離の効果を増加させることができる。
【００４４】
また、測定容器３の外面には、熱容量の小さい薄肉のフィンを取り付けるのが望ましい。これによって、外側容器４の内面と測定容器３の外面の間に形成される通風流路における伝熱面積が増加して、測定容器３の温度は、吸込気体の温度により早く近づく。換言すると、測定部１が測定する温度が安定するまでの時間が短縮され、環境変動の激しい屋外における測定や、急激な温度差を生じる実験にも使用することができる。
【００４５】
また、外側容器４の内面には、断熱部材を設けることが望ましい。これによって、外側容器４の温度変化の影響が測定容器３に及ぶことを抑制することができ、測定部１が測定する温度が安定するまでの時間を短縮することができる。
【００４６】
以上、本実施形態に係る乾湿計によれば、外気にミストが含まれる環境下においても、高い精度で乾球温度を測定することが可能である。
【００４７】
また、本実施形態に係る乾湿計によれば、測定容器３へのミスト付着を防止し、付着したミストによる気化熱冷却の影響を受けることなく正確に乾球温度を測定することができる。また、日射量変化などによる外部容器４の外部からの熱量変化が大きい場合でも、乾球温度計周りでの熱量変化を抑えることで正確に乾球温度を測定することができる。また、ミストが多量に含まれる場合でも、気体から分離したミストによる気化熱冷却を防止して正確に乾球温度を測定することができる。
【００４８】
（第２の実施形態）
次に、図４〜図７を参照して、第２の実施形態に係る乾湿計について説明する。
【００４９】
図４は、第２の実施形態における乾湿計の概略構成を示す模式図である。また、図５は、第２の実施形態における乾湿計の概略構成の断面図である。尚、図５中に破線で示す矢印は、吸込気体から分離したミストを測定容器３の収容空間から除去するための水滴の流れを表す。
【００５０】
本実施形態に係る乾湿計は、排水タンク７、スリット８、排水管９を備えている点で、第１の実施形態に係る乾湿計と相違する。尚、第１の実施形態と共通する構成については、説明を省略する（以下、他の実施形態についても同様）。
【００５１】
スリット８は、測定容器３の側面を貫通するように設けられた開口である。スリット８は、測定容器３の底面から鉛直方向に伸びるように形成されている。
【００５２】
尚、図６Ａ、図６Ｂは、スリット８の形状の一例を示す側面図である。また、図７Ａ、図７Ｂは、図５のＡ−Ａ断面で切断した切断面における図であり、スリット８の形状を平面視した図である。スリット８の形状のより望ましい態様については、これらの図を参照して後述する。
【００５３】
排水管９は、一端がスリット８に接続され、他端が排水タンク７に接続され、スリット８に流入する水滴を排水タンク７に排出させる管である。
【００５４】
排水タンク７は、測定容器３の収容空間から除去した水滴を貯水する容器である。排水タンク７は、タンク吸引口７ａを有し、当該タンク吸引口７ａを介してブロアモータ６（「第２の吸引ポンプ」に相当）からの吸引力を排水管９およびスリット８に伝達する。尚、排水タンク７は、外側容器４の収納空間とは隔絶し、密閉された状態で、外側容器４の下部に設けられている。
【００５５】
以上のように構成された乾湿計について、以下、その動作、作用を説明する。
【００５６】
まず、吸込管５から流入した外気に含まれる微細ミストは、上記したように、遠心力によって測定容器３の内面に衝突して水滴となり気体から分離される。そして、このようにして生成された水滴は、測定容器３の内面に付着して粒径の大きい水滴となる。
【００５７】
この際、測定容器３の内面に付着した水滴は、スリット８に達し、ブロアモータ６が生成する吸引力によって、スリット８を通して排水管９内に流入する。そして、排水管９内に流入した水滴は、排水タンク７に溜まる。このように、測定容器３の収容空間の内部の水滴を除去することによって、当該水滴から気中に蒸散するミストの量をより減少させることができる。
【００５８】
尚、微細ミストを含む気体が、測定容器３の内部に流入した場合、測定容器３の内壁に衝突して気体から分離されたミストは、連続的にミストを含む気体が吸込口２ａから流れてくるため、次第に粒径の大きい水滴となり、測定容器３の内面を流れる。
【００５９】
この時、測定容器３の内面を流れる水滴と測定容器３の内部を流れる気体との境界面において、測定容器３内面を流れる水滴の一部は、蒸発するときの気化熱によって、測定対象の気体が冷却されることになる。
【００６０】
この点、本実施形態に係る乾湿計によれば、水滴はすぐにスリット８に達して、ブロアモータ６の吸引により、排水管９内部に流出するため、測定対象の気体に対する冷却効果は微小となる。そして、排水管９内に流出した水滴は排水タンク７に溜まる。これにより、特に、測定対象の気体にミストが多量に含まれていても、水滴が測定容器３底部に溜まったりすることを防止し、水滴の蒸発による気体の温度低下を防ぎ、正確に乾球温度を測定することができる。
【００６１】
本実施形態に係る乾湿計の各部は、例えば以下のような構成とする。
【００６２】
スリット８は、図６Ａに示すように、鉛直方向に一直線状に伸延する。または、図６Ｂに示すように、鉛直方向に破線状に伸延する形状としてもよい。図６Ｂに示すスリット８では、破線状に複数の開口が２列形成されている。そして、１列目に含まれる開口の範囲の一部は、２列目に含まれる開口の範囲の一部と鉛直方向において重なっている。
【００６３】
薄肉の金属板を湾曲させて測定容器３を製作するためには、スリット８は、図６Ｂに示すように、鉛直方向に破線状に伸延する形状とするのが望ましい。
【００６４】
スリット８を鉛直方向に一直線状に伸延する形状とした場合、金属板を湾曲させる際に、応力集中によりスリット８が形成された部位が折れ曲がり、長手方向に垂直な測定容器３の断面形状が、スリット８が形成された部位が突出した涙滴状となるおそれがある。
【００６５】
この点、スリット８を破線状とすることによって、長手方向に垂直な測定容器３の形状を、真円に近づけることができる。その結果、吸込気体が測定容器３の内面に沿って螺旋を描き、測定容器３の上部まで流れやすくなるため、遠心力による微細ミストの分離効果を増大させることができる。
【００６６】
また、１列目に含まれる開口の範囲の一部が、２列目に含まれる開口の範囲の一部と鉛直方向において重なるようにすることで、開口と開口との間を水滴が通ることにより水滴の回収効率が低下することを防止することができる。
【００６７】
また、スリット８における気体の流速を増加させるため、スリット８のスリット幅をより狭くしてもよい。これによって、スリット８における吸引力が増加し、測定容器３の内面を流れる水滴をより強力に吸引することができる。
【００６８】
その結果、測定容器３内に付着した水滴が蒸発し、その蒸発による潜熱冷却により吸込気体の温度が低下して、吸込気体の温度を正確に測定することができなくなるという事態を防止することができる。
【００６９】
また、スリット８は、測定容器３の内面側に面取り部を有しない構成とするのが望ましい。換言すると、スリット８は、開口幅が測定容器３の内面側から外面側に向かって狭まる形状とならないようにするのが望ましい。つまり、スリット８は、開口幅が測定容器３の内面側から外面側に向かって略一定とするか、開口幅が測定容器３の内面側から外面側に向かって広がる形状とする。
【００７０】
図７Ａは、測定容器３が、内面側に面取り部を有しない構成を表し、図７Ｂは、測定容器３が、内面側に面取り部を有する構成を表している。尚、図７Ａ、図７Ｂ中で、ｗ１は、吸込気体が通流する方向を表し、ｗ２は、吸込気体から分離したミストが水滴化したものを表す。
【００７１】
図７Ｂに示すように、測定容器３が、内面側に面取り部を有する場合、水滴ｗ２は、吸引されたときに当該面取り部で衝突して、測定容器３の内部方向に飛散する。その結果、回収できない水滴が発生し、その水滴が測定容器３内で蒸発すると、その蒸発による潜熱冷却により吸込気体の温度が低下する。
【００７２】
この点、図７Ａに示すように、測定容器３が、内面側に面取り部を有しない構成とすることによって、水滴ｗ２が、測定容器３の内部方向に飛散する事態を防止することができる。
【００７３】
以上、本実施形態に係る乾湿計によれば、測定容器３の収容空間からミストを除去することができるため、外気にミストが含まれる環境下においても、より高い精度で乾球温度を測定することが可能である。
【００７４】
（第３の実施形態）
次に、図８〜図９を参照して、第３の実施形態に係る乾湿計について説明する。
【００７５】
図８は、第３の実施形態における乾湿計の概略構成を示す模式図である。また、図９は、第３の実施形態における乾湿計の概略構成の断面図である。
【００７６】
本実施形態に係る乾湿計は、湿球温度測定部１０、吸水材１１、供給管１２を備えている点で、第２の実施形態に係る乾湿計と相違する。
【００７７】
湿球温度測定部１０（「第２の測定部」に相当）は、湿球温度を測定するセンサである。ここでは、湿球温度測定部１０は、排水管９の内部に配設され、当該排水管９を介して流入する外気の湿球温度を測定する。湿球温度測定部１０としては、例えば、熱電対や水銀温度計等が用いられる。
【００７８】
吸水材１１は、湿球温度測定部１０を被膜する保湿部材である。吸水材１１は、供給管１２を介して排水タンク７に貯まった水分を吸水する。吸水材１１としては、例えば、スポンジ材等が用いられる。
【００７９】
供給管１２は、排水タンク７に貯まった水分を吸水材１１に供給する管である。供給管１２は、一端が吸水材１１に接続され、他端が排水タンク７の内部に配設される。供給管１２は、例えば、毛細管現象等を利用して、排水タンク７の内部から吸水材１１に水分を供給する。
【００８０】
このように、気中から分離したミストを湿球温度測定部１０の吸水材１１の保湿に利用することで、湿球温度測定部１０に供給する水の供給頻度を抑えることができる。また、湿球温度測定部１０を排水管９の内部に設置することによって、湿球温度測定部１０は、吸込気体の流速が安定した領域で湿球温度を測定することができ、測定精度を向上させることができる。
【００８１】
更に、湿球温度測定部１０は、測定対象の気体の風速が２〜４ｍ/sというＪＩＳ規格に準じた条件下で、湿球温度を測定することができる。
【００８２】
尚、測定対象の気体の風速が２〜４ｍ/sという条件を満足するため、排水管９の径を小さくしたり、ブロアモータ６の排気量を増加させるなどの調整を適宜行う。
【００８３】
例えば、排水タンク７から排気される気体の排気量が４０Ｌ／ｍｉｎ（０．０４ｍ３／ｍｉｎ）の場合、排水管９の断面積Ｓは、少なくとも３．３ｃｍ２以下とするのが望ましい。この断面積は、排気量０．０４ｍ３／ｍｉｎを風速２〜４ｍ／ｓで割り算することにより得られる。
【００８４】
また、本発明の乾湿計で測定した乾球温度と湿球温度を用いて相対湿度を算出してもよい。相対湿度は、例えば、以下の式（１）、式（２）を用いて算出することができる。
【００８５】
まず、次式（１）のSprungの公式を用いて水蒸気圧eを計算する。
【数１】
2018017669.tif 000003
【００８６】
次に、上式（１）で求めた環境の水蒸気圧eを、次式（２）を用いて相対湿度に変換する。
【数２】
2018017669.tif 000004
【００８７】
このようにして、気中の微細ミストが含まれる環境下においても、気中の相対湿度を高い精度で求めることができる。
【００８８】
以上、本実施形態に係る乾湿計によれば、高い精度で湿球温度を測定することが可能である。また、上記のように、乾球温度、湿球温度および気中の相対湿度を求めることによって、例えば、路上に設置するミスト発生装置の運転制御にも資することとなる。
【００８９】
以上、本発明の具体例を詳細に説明したが、これらは例示にすぎず、請求の範囲を限定するものではない。請求の範囲に記載の技術には、以上に例示した具体例を様々に変形、変更したものが含まれる。
【００９０】
例えば、上述した実施形態では、測定容器３の下部から吸引された外気が、内管２の外面と測定容器３の内面との間を通り、内管２の上端から内管２内に流れて内管２の下端から外側容器４に吐出され、測定容器３の外面と外側容器４の内面との間を通って外側容器４の上端から排出されることとした。
【００９１】
しかしながら、外気の径路はこれに限定されるものではなく、内管２の下端から吐出された外気が外側容器４の下端から排出されることとしてもよいし、外側容器４の側面から排出されることとしてもよい。内管２、または、外側容器４についても、必ずしも設ける必要はなく、測定容器３内において外気に遠心力が働き、微細ミストが外気から分離されるように乾湿計が構成されていればよい。
【００９２】
本明細書および添付図面の記載により、少なくとも以下の事項が明らかとなる。
【００９３】
乾球温度を測定する測定部１と、収容空間内に前記測定部１を収容する筒状の測定容器３と、一端が外気に開放され、他端が前記収容空間内において当該収容空間の中心軸から偏心する方向に向けて配設された吸込管５と、を備えた乾湿計を開示する。
【００９４】
この乾湿計によれば、外気にミストが含まれる環境下においても、外気からミストを分離することができるため、高精度に乾球温度を測定することが可能である。
【００９５】
又、この乾湿計においては、前記測定部１を収容する筒状の内管２を更に備え、前記内管２は、前記収容空間内に配設され、前記収容空間内に吸い込んだ外気を吸引する吸引口２ａと、当該吸引口２ａから吸引された外気を吐出する吐出口２ｂとを有し、前記吸込管５の他端は、前記収容空間の中心軸に沿った方向において前記内管２の吸引口２ａから離れた位置に設けられるものであってもよい。
【００９６】
この乾湿計によれば、外気から分離したミストの気化をより確実に防止することができるため、より高精度に乾球温度を測定することが可能である。
【００９７】
又、この乾湿計においては、外気を排出する排出口４ａを有し、前記測定容器３を収容する筒状の外側容器４を更に備え、前記外側容器４は、前記内管２の吐出口２ｂと連通し、当該吐出口２ｂから吐出された外気を前記測定容器３の外面と当該外側容器４の内面との間に導き、前記排出口４ａから排出するものであってもよい。
【００９８】
この乾湿計によれば、測定容器３が外気と接触することを防止できるため、測定容器３の温度の早期安定化を図ることができる。
【００９９】
又、この乾湿計においては、前記外側容器４の排出口４ａに接続された吸引ポンプ６を更に備えるものであってもよい。
【０１００】
又、この乾湿計においては、前記測定容器３の側面を貫通するように設けられたスリット８と、一端が前記スリット８と接続するように、前記測定容器３の外面側に配設された排水管９と、前記排水管９の他端が接続された排水タンク７と、を更に備えるものであってもよい。
【０１０１】
この乾湿計によれば、外気から分離したミストの気化をより確実に防止することができるため、より高精度に乾球温度を測定することが可能である。
【０１０２】
又、この乾湿計においては、前記排水タンク７に接続された第２の吸引ポンプ６を更に備えるものであってもよい。
【０１０３】
又、この乾湿計は、前記排水管９内に配設され、湿球温度を測定する第２の測定部１０と、前記第２の測定部１０を被覆する吸水材１１と、一端が前記吸水材１１に接続され、他端が前記排水タンク７のタンク内に配設された供給管１２と、を更に備えたものであってもよい。
【０１０４】
この乾湿計によれば、高精度に湿球温度を測定することも可能である。
【産業上の利用可能性】
【０１０５】
本開示に係る乾湿計は、測定対象の気体に微細ミストが含まれる環境下で好適に用いることができる。
【符号の説明】
【０１０６】
１  測定部
２  内管
３  測定容器
４  外側容器
５  吸込管
６  ブロアモータ
７  排水タンク
８  スリット
９  排水管
１０  湿球温度測定部
１１  吸水材
１２  供給管
９１  ケーシング
９２  通風路
９３  測定部
９４  送風ファン
９５  電子機器
【図１】
2018017669.tif 000005
【図２】
2018017669.tif 000006
【図３】
2018017669.tif 000007
【図４】
2018017669.tif 000008
【図５】
2018017669.tif 000009
【図６】
2018017669.tif 000010
【図７】
2018017669.tif 000011
【図８】
2018017669.tif 000012
【図９】
2018017669.tif 000013